(57)【要約】【課題】回転部のないＸ線コンピュータ断層撮像装置を提供することができる。【解決手段】被検体ＷにＸ線を照射し、上記被検体Ｗを透過したＸ線の強度分布に基づいて、上記被検体Ｗ内の物理量分布を再生するＸ線コンピュータ断層撮像装置において、上記Ｘ線を発生させるＸ線発生手段１０と、このＸ線発生手段１０から発生したＸ線を一端４２で受け、上記被検体Ｗに向けて配置された先端部４３から照射する複数のＸ線ガイドチューブ４０と、上記被検体Ｗを透過したＸ線を検出するＸ線検出装置３０とを具備する。【選択図】    図１
2004357723.tif 000002
【特許請求の範囲】
【請求項１】
被検体にＸ線を照射し、上記被検体を透過したＸ線の強度分布に基づいて、上記被検体内の物理量分布を再生するＸ線コンピュータ断層撮像装置において、
上記Ｘ線を発生させるＸ線発生手段と、
このＸ線発生手段から発生したＸ線を一端で受け、上記被検体に向けて配置された先端部から照射する複数のＸ線ガイドチューブと、
上記被検体を透過したＸ線の強度を検出する検出器と、
を具備することを特徴とするＸ線コンピュータ断層撮像装置。
【請求項２】
上記複数のＸ線ガイドチューブの先端部は、上記被検体の周囲に環状に配置されていることを特徴とする請求項１記載のＸ線コンピュータ断層撮像装置。
【請求項３】
上記検出器は、上記被検体の周囲に環状に配置された複数の検出部から構成されていることを特徴とする請求項１記載のＸ線コンピュータ断層撮像装置。
【請求項４】
上記各Ｘ線ガイドチューブは、上記Ｘ線を伝送する複数のＸ線ファイバを束ねて構成されていることを特徴とする請求項１記載のＸ線コンピュータ断層撮像装置。
【請求項５】
上記各Ｘ線ガイドチューブには、上記Ｘ線の通過と遮断を切り替える切換スイッチが設けられていることを特徴とする請求項１記載のＸ線コンピュータ断層撮像装置。
【請求項６】
上記Ｘ線発生手段は、
フィラメントと、
このフィラメントに電流を供給して電子線を発生させる電子回路と、
上記フィラメントから発生した電子線を受けてＸ線を発生させるターゲット陽極と、
を有することを特徴とする請求項１記載のＸ線コンピュータ断層撮像装置。
【請求項７】
上記Ｘ線発生手段から発生するＸ線の強度を、上記Ｘ線ガイドチューブごとに異なる振動数で振動させることを特徴とする請求項１記載のＸ線コンピュータ断層撮像装置。
【請求項８】
上記フィラメントに供給する電流を振動させることで、上記Ｘ線発生手段から発生するＸ線の強度をそれぞれ異なる振動数で振動させることを特徴とする請求項６記載のＸ線コンピュータ断層撮像装置。
【請求項９】
上記Ｘ線発生手段はＸ線管を有し、このＸ線管に印加する電圧を振動させることで、上記Ｘ線発生手段から発生するＸ線の強度をそれぞれ異なる振動数で振動させることを特徴とする請求項１記載のＸ線コンピュータ断層撮像装置。
【請求項１０】
被検体にＸ線を照射し、上記被検体を透過したＸ線の強度分布に基づいて、上記被検体内の物理量分布を再生するＸ線コンピュータ断層撮像装置において、
上記被検体の周囲に環状に配置され、上記被検体に向けてＸ線を照射する複数のＸ線源と、
上記被検体の周囲に配置され、上記被検体を透過したＸ線の強度を検出する環状の検出器と、
を具備し、
上記各Ｘ線源は、
カーボンナノチューブを備えた電子線源と、
この電子線源から発生した電子線を受けて上記Ｘ線を発生させるターゲット陽極と、
を有することを特徴とするＸ線コンピュータ断層撮像装置。
【発明の詳細な説明】
【０００１】
【発明の属する技術分野】
本発明は、被検体を透過したＸ線の強度分布から被検体内の物理量分布を検出するＸ線コンピュータ断層撮像装置に関する。
【０００２】
【従来の技術】
現在、Ｘ線コンピュータ断層撮像装置（以下、「Ｘ線ＣＴ装置」と称する。）は、いわゆる第３世代と呼ばれるものが主流になっている。この第３世代のＸ線ＣＴ装置は、人体の周囲にＸ線源と検出器を対向して配置し、これらＸ線源と検出器を人体の周囲で回転させる構成となっている。
【０００３】
また、人体の周囲に複数の検出器を環状に固定配置し、Ｘ線源だけを人体の周囲で回転させる、いわゆる第４世代と呼ばれるＸ線ＣＴ装置も開示されている（例えば特許文献１参照。）。
【０００４】
さらに、最近ではＸ線源と検出器が共に回転しない、いわゆる第５世代と呼ばれるＸ線ＣＴ装置が開発されている。この第５世代のＸ線ＣＴ装置は、電子ビームを偏向器によって偏向し、人体の周囲に固定配置されたターゲット陽極に衝突させることでＸ線を発生させる構成となっている。
【０００５】
【特許文献１】
特開２００１−１７４２０号公報。
【０００６】
【発明が解決しようとする課題】
しかしながら、上述の第３世代と第４世代のＸ線ＣＴ装置は、Ｘ線源や検出器という重量物を被験者の周囲で回転させるため、被験者に圧迫感を与えたり、大きな振動や騒音が発生するという問題がある。
【０００７】
さらに、Ｘ線ＣＴ装置では、高い画質が求められるが、そのために必要なＸ線源や検出器の高速回転は、装置の強度や剛性にとって大きな問題となる。
【０００８】
また、上述の第５世代のＸ線ＣＴ装置は、電子線の偏向調整が難しく、また画像分解能も十分ではない。
【０００９】
本発明は、上記事情を鑑みてなされたものであって、その目的とするところは、回転部のないＸ線コンピュータ断層撮像装置を提供することにある。
【００１０】
【課題を解決するための手段】
上記課題を解決し目的を達成するために、本発明のＸ線コンピュータ断層撮像装置は次のように構成されている。
【００１１】
（１）被検体にＸ線を照射し、上記被検体を透過したＸ線の強度分布に基づいて、上記被検体内の物理量分布を再生するＸ線コンピュータ断層撮像装置において、上記Ｘ線を発生させるＸ線発生手段と、このＸ線発生手段から発生したＸ線を一端で受け、上記被検体に向けて配置された先端部から照射する複数のＸ線ガイドチューブと、上記被検体を透過したＸ線の強度を検出する検出器とを具備することを特徴とする。
【００１２】
（２）（１）に記載されたＸ線コンピュータ断層撮像装置であって、上記複数のＸ線ガイドチューブの先端部は、上記被検体の周囲に環状に配置されていることを特徴とする。
【００１３】
（３）（１）に記載されたＸ線コンピュータ断層撮像装置であって、上記Ｘ線ガイドチューブの先端部と上記検出器は、上記被検体の軸心線方向にずらして配置されていることを特徴とする。
【００１４】
（４）（１）に記載されたＸ線コンピュータ断層撮像装置であって、上記検出器は、上記被検体の周囲に環状に配置された複数の検出部から構成されていることを特徴とする。
【００１５】
（５）（１）に記載されたＸ線コンピュータ断層撮像装置であって、上記各Ｘ線ガイドチューブは、上記Ｘ線を伝送する複数のＸ線ファイバを束ねて構成されていることを特徴とする。
【００１６】
（６）（５）に記載されたＸ線コンピュータ断層撮像装置であって、上記Ｘ線ガイドチューブの先端部は、上記被検体に向かって円錐状に広がっていることを特徴とする。
【００１７】
（７）（５）に記載されたＸ線コンピュータ断層撮像装置であって、上記Ｘ線ガイドチューブの一端は、上記Ｘ線発生手段から円錐状に放射されるＸ線の形状に合わせて円錐状に窄まっていることを特徴とする。
【００１８】
（８）（１）に記載されたＸ線コンピュータ断層撮像装置であって、上記各Ｘ線ガイドチューブの中途部には、上記Ｘ線の通過と遮断を切り替える切換スイッチが設けられていることを特徴とする。
【００１９】
（９）（１）に記載されたＸ線コンピュータ断層撮像装置であって、上記Ｘ線発生手段は、上記各Ｘ線ガイドチューブの一端にそれぞれ設けられた複数のＸ線源から構成されていることを特徴とする。
【００２０】
（１０）（９）に記載されたＸ線コンピュータ断層撮像装置であって、上記Ｘ線源は、フィラメントと、このフィラメントに電流を供給して電子線を発生させる電子回路と、上記フィラメントから発生した電子線を受けてＸ線を発生させるターゲット陽極とを有することを特徴とする。
【００２１】
（１１）（９）に記載されたＸ線コンピュータ断層撮像装置であって、上記Ｘ線源は、Ｘ線管から構成されていることを特徴とする。
【００２２】
（１２）（１）に記載されたＸ線コンピュータ断層撮像装置であって、上記Ｘ線発生手段が発生させるＸ線の強度を、上記Ｘ線ガイドチューブごとに異なる振動数で振動させることを特徴とする。
【００２３】
（１３）（１０）に記載されたＸ線コンピュータ断層撮像装置であって、上記各Ｘ線源が発生させるＸ線の強度を、上記フィラメントに供給する電流を振動させることで、それぞれ異なる振動数で振動させることを特徴とする。
【００２４】
（１４）（１１）に記載されたＸ線コンピュータ断層撮像装置であって、上記各Ｘ線源が発生させるＸ線の強度を、上記Ｘ線管に印加する電圧を振動させることで、それぞれ異なる振動数で振動させることを特徴とする。
【００２５】
（１５）（１２）〜（１４）に記載されたＸ線コンピュータ断層撮像装置であって、上記複数のＸ線ガイドチューブの先端部からは、上記被検体に向けてＸ線が同時に照射されることを特徴とする。
【００２６】
（１６）（１２）〜（１４）に記載されたＸ線コンピュータ断層撮像装置であって、上記複数のＸ線ガイドチューブの先端部からは、上記被検体に向けて時間差を有してＸ線が照射されることを特徴とする。
【００２７】
（１７）（１５）又は（１６）に記載されたＸ線コンピュータ断層撮像装置であって、上記検出器には制御器が接続されており、この制御器は上記検出器が検出したＸ線強度を振動数ごとに分離することを特徴とする。
【００２８】
（１８）（１７）に記載されたＸ線コンピュータ断層撮像装置であって、上記制御器は、Ｘ線強度の振動数に基づいて、そのＸ線を放射したＸ線ガイドチューブを特定することを特徴とする。
【００２９】
（１９）被検体にＸ線を照射し、上記被検体を透過したＸ線の強度分布に基づいて、上記被検体内の物理量分布を再生するＸ線コンピュータ断層撮像装置において、上記被検体の周囲に環状に配置され、上記被検体に向けてＸ線を照射する複数のＸ線源と、上記被検体の周囲に配置され、上記被検体を透過したＸ線の強度を検出する環状の検出器とを具備し、上記各Ｘ線源は、カーボンナノチューブを備えた電子線源と、この電子線源から発生した電子線を受けて上記Ｘ線を発生させるターゲット陽極とを有することを特徴とする。
【００３０】
【発明の実施の形態】
以下、図１〜図５を用いて本発明の第１の実施の形態を説明する。
【００３１】
図１は本発明の第１の実施の形態に係るＸ線コンピュータ断層撮像装置の構成を示す正面図、図２は同実施の形態に係るＸ線コンピュータ断層撮像装置の要部の構成を示す横断面図、図３は同実施の形態に係るＸ線ガイドチューブの先端部の構成を示す概略図である。なお、図中Ｗは、被検体を示している。
【００３２】
図１と図２に示すＸ線コンピュータ断層撮像装置は、Ｘ線発生手段１０（図１にのみ図示）と、Ｘ線出射装置２０と、Ｘ線検出装置３０（検出器）を有する。
【００３３】
Ｘ線出射装置２０は、出射ベース２１を有する。この出射ベース２１は、環状に形成されており、その軸心線がほぼ水平となるよう配置されている。この出射ベース２１には、複数のＸ線出射部２２がその周方向に沿って所定の間隔で並設されている。これらＸ線出射部２２からは、被検体Ｗに向けてＸ線が照射される。
【００３４】
Ｘ線検出装置３０は、検出ベース３１を有する。この検出ベース３１は、円筒状に形成されており、出射ベース２１の軸心線方向にずれた位置に出射ベース２１と同軸に配置されている。この検出ベース３１には、複数のシンチレータ３２がその周方向に沿って並設されている。各シンチレータ３２が検出したＸ線の強度は、それぞれ光−電圧変換ユニット３３によって電圧信号に変換される。ここで、シンチレータ３２および光−電圧変換ユニット３３から検出部３４が構成される。
【００３５】
Ｘ線発生手段１０は、Ｘ線出射装置２０及びＸ線検出装置３０と別置されている。このＸ線発生手段１０は、複数のＸ線源１１（２つのみ図示）によって構成される。各Ｘ線源１１は、電子発生装置１２とターゲット陽極１３を有する。
【００３６】
電子発生装置１２は、フィラメント１４と電流振動回路１５（電子回路）から構成される。各電流振動回路１５は、それぞれのフィラメント１４に固有の振動数で振動する電流を供給する。これによって、各フィラメント１４は、電流の振動数に応じて強度が振動する電子線を発生させる。
【００３７】
ターゲット陽極１３は、タングステン材からなり、フィラメント１４と対向して配置されている。このターゲット陽極１３は、軸線ｌを中心に矢印Ａ方向に回転している。
【００３８】
各フィラメント１４から発生した電子線は、正電荷を帯びたターゲット陽極１４に向かって矢印Ｂ方向に進み、ターゲット陽極１４の所定部位に照射される。これによって、ターゲット陽極１４からは、図１中にΔで示すように、Ｘ線が円錐状に拡がりながら放射される。
【００３９】
放射されたＸ線の強度は、電子線の強度に比例するため、電流振動回路１５からフィラメント１４に供給される電流の値に比例する。すなわち、Ｘ線の強度は、フィラメント１４に供給した電流の振動数とほぼ同じ振動数で振動している。
【００４０】
なお、ターゲット陽極１４は、電子線の照射によって高温に加熱されるが、本実施の形態では、ターゲット陽極１４を回転させることで、電子線が照射される部位を循環させているから、ターゲット陽極１４が過加熱によって溶解することがない。
【００４１】
ターゲット陽極１４から発生したＸ線は、Ｘ線発生手段１０とＸ線出射装置２０を接続するＸ線ガイドチューブ４０によって各Ｘ線出射部２２に伝送される。
【００４２】
このＸ線ガイドチューブ４０は、複数のＸ線ファイバ４１を束ねて構成されている。このＸ線ファイバ４１は、細長い管状部材からなり、内腔を用いてＸ線を伝送することができる。
【００４３】
Ｘ線源１１側に配置されるＸ線ガイドチューブ４０の一端４２は、Ｘ線ファイバ４１を湾曲させることによって、ターゲット陽極１４側に向かって円錐状に窄むように形成されている。
【００４４】
また、Ｘ線出射装置２０側に配置されるＸ線ガイドチューブ４０の先端部４３は、Ｘ線ファイバ４１を湾曲させることによって、被検体Ｗ側に向かって円錐状に広がるように形成されている。（図３を参照。）。
【００４５】
各Ｘ線ガイドチューブ４０の中途部には、それぞれ切換スイッチ４４が設けられている。この切換スイッチ４４は、Ｘ線の反射の性質を利用したものであり、内部に設けられた反射ミラー（不図示）の角度を調整することで、Ｘ線の通過と遮断を切り替える。
【００４６】
なお、切換スイッチ４４として、Ｘ線が透過し難いモリブデン製の板材をＸ線ガイドチューブ４０に対して抜き差しするような構成を用いてもよい。
【００４７】
上記光−電圧変換ユニット３３と切換スイッチ４４は、共に制御器５０に接続されている。この制御器５０は、光−電圧変換ユニット３３から出力される電圧信号の処理、及び切換スイッチ４４の切り換え等を行う。そして、制御器５０によって処理された電圧信号は、画像としてモニタ６０に映し出される。
【００４８】
次に、上記構成のＸ線断層撮像装置の作用について説明する。
【００４９】
このＸ線コンピュータ断層撮像装置を使用する場合、全てのＸ線源１１を起動させておく。このとき、フィラメント１４に供給する電流を制御することで、各Ｘ線源１１から発生するＸ線の強度をそれぞれ固有の振動数で振動させておく。
【００５０】
各Ｘ線源１１から発生したＸ線は、それぞれＸ線ガイドチューブ４０内に入射する。Ｘ線ガイドチューブ４０内に入射したＸ線は、切換スイッチ４４の制御によって、各Ｘ線出射部２２から出射ベース２２の周方向に沿って所定のインターバルで順次出射される。
【００５１】
各Ｘ線出射部２２から出射されたＸ線は、被検体Ｗを透過してＸ線出射部２２の反対側に配置された複数の検出部３４によって電圧信号として検出される。このとき、各検出部３４が検出するＸ線強度には、被検体Ｗ内の物理量分布によって部分的に差が生じている。そして、制御器５０は、検出部３４によって検出されたＸ線強度の電圧信号に基づいて、被検体Ｗ内の物理量分布を構築する。
【００５２】
図４は同実施の形態に係る検出部が検出したＸ線強度の電圧信号を示し、（ａ）は第１のシンチレータ３２ａが検出したＸ線強度の電圧信号を示すグラフ図、（ｂ）は第２のシンチレータ３２ｂが検出したＸ線強度の電圧信号を示すグラフ図、（ｃ）は第３のシンチレータ３２ｃが検出したＸ線強度の電圧信号を示すグラフ図である。
【００５３】
一般に、検出部３４は、光を電圧に変換する応答速度が非常に遅い。そのため、複数のＸ線出射部２２から短いインターバルで順次Ｘ線を照射した場合、検出部３４の応答が切換スイッチ４４の切り替え速度に追従できず、被検体Ｗ内の物理量分布が鮮明に構築されないことがある。
【００５４】
すなわち、各Ｘ線出射部２２から出射されるＸ線のインターバルが短い場合、複数のＸ線出射部２２から出射されたＸ線が重なり合った電圧信号が検出部３４から出力されてしまう。
【００５５】
そこで、本実施の形態では、各Ｘ線出射部２２から出射するＸ線の強度をそれぞれ固有の振動数で振動させておき、各検出部３４が検出したＸ線強度の電圧信号をフーリエ変換によって振動数ごとに分離することで、所望の振動数のＸ線のみを取り出せるようにしている。
【００５６】
これによって、検出部３４が検出したＸ線が、どのＸ線出射部２２から出射されたＸ線であるかを知ることができるから、検出したＸ線の強度に基づいて、被検体Ｗ内の鮮明な物理量分布を構築することができる。
【００５７】
なお、図４（ａ）中にＤで示す山状の部分は、シンチレータ３２ａが検出した散乱光を示している。
【００５８】
上記構成のＸ線断層撮像装置によれば、Ｘ線発生手段１０をＸ線出射装置２０と別置するとともに、各Ｘ線源１１と各Ｘ線出射部２２をＸ線ガイドチューブ４０で接続し、Ｘ線源１１で発生したＸ線をこのＸ線ガイドチューブ４０によってＸ線出射部２２に伝送している。
【００５９】
そして、各Ｘ線ガイドチューブ４０の中途部にＸ線の通過と遮断を切り替える切換スイッチ４４を設け、この切換スイッチ４４を制御器５０によって制御できるようにしている。
【００６０】
そのため、Ｘ線発生手段を被検体Ｗの周囲で回転させることなく、被検体Ｗに向けて複数の方向からＸ線を照射することができるから、被検体Ｗに与える圧迫感、或いは振動や騒音を低減することができる。
【００６１】
また、各Ｘ線出射部２２から出射されるＸ線の強度をそれぞれＸ線ガイドチューブ４０に固有の振動数で振動させている。
【００６２】
そのため、各検出部３４の出力において、複数のＸ線出射部２２から出射されたＸ線の強度が重なり合っていても、所望の周波数のＸ線のみを分離して取り出すことができる。
【００６３】
また、各Ｘ線出射部２２から出射されるＸ線の強度を振動させるために、フィラメント１４に供給する電流を振動させている。
【００６４】
そのため、装置の構成を複雑にすることなく、各Ｘ線出射部２２から出射されるＸ線の強度を固有の振動数で振動させることができる。
【００６５】
また、Ｘ線出射部２２とシンチレータ３２をその軸心線の方向にずらして配置している。
【００６６】
そのため、本実施の形態のように、Ｘ線出射部２２とシンチレータ３２を被検体Ｗの周囲に環状に配置しても、Ｘ線出射部２２から出射されたＸ線をシンチレータ３２で検出する際に、このＸ線出射部２２の反対側に位置するＸ線出射部２２によって邪魔されることがない。
【００６７】
また、Ｘ線ガイドチューブ４０の一端４２をターゲット陽極１４側に向かって円錐状に窄むよう形成している。
【００６８】
そのため、Ｘ線源１１から円錐状に広がりながら放射されるＸ線を効率よくＸ線ガイドチューブ４０内に入射させることができる。
【００６９】
さらに、Ｘ線ガイドチューブ４０の先端部を被検体Ｗ側に向かって円錐状に広がるよう形成している。
【００７０】
そのため、本実施の形態のように、細径のＸ線ファイバー４１の先端からＸ線を出射する構成であっても、被検体Ｗ全体にＸ線を満遍なく照射することができる。
【００７１】
なお、本実施の形態では、Ｘ線源１１として電子発生装置１２とターゲット陽極１３を用いているが、これに限定されるものではない。例えば、図５に示すように、Ｘ線管９０を用いることもできる。この場合、Ｘ線管９０に印加する管電圧を振動させることで、各Ｘ線出射部２２から出射されるＸ線の強度を振動させればよい。
【００７２】
また、本実施の形態では、各Ｘ線出射部２２から出射されるＸ線の強度をそれぞれ固有の振動数で振動させている。そのため、被検体Ｗの周囲に配置された全てのＸ線出射部２２から同時にＸ線を出射しても、検出したＸ線を振動数ごとに分離することができるから、被検体Ｗ内の物理量分布を構成することができる。
【００７３】
すなわち、複数のＸ線出射部２２から順々にＸ線を照射してゆく必要がなくなるから、撮像に要する時間を短縮することができる。
【００７４】
次に、図６を用いて本発明の第２の実施の形態を説明する。
【００７５】
なお、第１の実施の形態と同じ構成、動作、作用については、その説明を省略する。
【００７６】
図６は本発明の第２の実施の形態に係るＸ線コンピュータ断層撮像装置の構成を示す正面図である。
【００７７】
第１の実施の形態に係るＸ線コンピュータ断層撮像装置が、各Ｘ線ガイドチューブ４０に対応する数のＸ線源１１を備えていたのに対し、本実施の形態では、図６に示すように、１つのＸ線源１１しか備えていない。
【００７８】
そのため、本実施の形態では、Ｘ線源１１で発生したＸ線を各Ｘ線ガイドチューブ４０に振り分けるためのチューブ切換器７０を備えている。
【００７９】
このチューブ切換器７０は、Ｘ線源１１に接続されたＸ線ガイドチューブ４０ａと、各Ｘ線出射部２２に接続された複数のＸ線ガイドチューブ４０の間に設けられ、機械的機構によってＸ線を供給するＸ線ガイドチューブ４０の切換を行う。
【００８０】
このような構成にすることで、Ｘ線源１１の数を減らせるから、Ｘ線コンピュータ断層撮像装置の構成を大幅に小型化することができる。
【００８１】
次に、図７と図８を用いて本発明の第３の実施の形態を説明する。
【００８２】
なお、第１の実施の形態、或いは第２の実施の形態と同じ構成、動作、作用については、その説明を省略する。
【００８３】
図７は本発明の第３の実施の形態に係るＸ線断層撮像装置の構成を示す正面図、図８は同実施の形態に係るＸ線源の構成を示す概略図である。
【００８４】
本実施の形態では、Ｘ線源１１ｂに用いられる電子発生装置１２ｂ（電子線源）として、カーボンナノチューブ８０を用いている。このカーボンナノチューブ８０は、電圧の印加によって電子を発生するという性質を持っている。本実施の形態は、この性質を利用したもので、カーボンナノチューブ８０から発生した電子線をターゲット陽極１３に照射している。
【００８５】
このように電子発生装置１２ｂとしてカーボンナノチューブ８０を用いると、電子発生装置１２ｂをかなり小さくすることができ、これによって、Ｘ線源１１ｂの構成を大幅に小型化することができる。
【００８６】
そのため、本実施の形態のように、複数のＸ線源１１ｂを出射ベース２１に直接設けることができるから、従来と比較してＸ線コンピュータ断層撮像装置の構成をかなり小型化することができる。
【００８７】
また、このように複数のＸ線源１１ｂを被検体Ｗの周囲に配置することができるから、被検体Ｗの周囲でＸ線発生手段を回転させる必要がない。
【００８８】
なお、本発明は、上記実施の形態そのままに限定されるものではなく、実施の段階ではその要旨を逸脱しない範囲で構成要素を変形して具体化できる。また、上記実施の形態に開示されている複数の構成要素の適宜な組み合わせにより種々の発明を形成できる。例えば、実施形態に示される全構成要素から幾つかの構成要素を削除してもよい。さらに、異なる実施形態にわたる構成要素を適宜組み合わせてもよい。
【００８９】
【発明の効果】
本発明によれば、回転部のないＸ線コンピュータ断層撮像装置を提供することができる。
【図面の簡単な説明】
【図１】本発明の第１の実施の形態に係るＸ線コンピュータ断層撮像装置の構成を示す正面図。
【図２】同実施の形態に係るＸ線コンピュータ断層撮像装置の要部の構成を示す横断面図。
【図３】同実施の形態に係るＸ線ガイドチューブの先端部の構成を示す概略図。
【図４】同実施の形態に係る検出部が検出したＸ線強度の電圧信号を示し、（ａ）は第１のシンチレータが検出したＸ線強度の電圧信号を示すグラフ図、（ｂ）は第２のシンチレータが検出したＸ線強度の電圧信号を示すグラフ図、（ｃ）は第３のシンチレータが検出したＸ線強度の電圧信号を示すグラフ図。
【図５】同実施の形態に係るＸ線源の変形例の構成を示す概略図。
【図６】本発明の第２の実施の形態に係るＸ線コンピュータ断層撮像装置の構成を示す正面図。
【図７】本発明の第３の実施の形態に係るＸ線コンピュータ断層撮像装置の構成を示す正面図。
【図８】同実施の形態に係るＸ線源の構成を示す概略図。
【符号の説明】
１０…Ｘ線発生手段、１１、１１ｂ…Ｘ線源、１２ｂ…電子発生装置（電子線源）、１３…ターゲット陽極、１４…フィラメント、１５…電流振動回路（電子回路）、３０…Ｘ線検出装置（検出器）、３４…検出部、４０…Ｘ線ガイドチューブ、４１…Ｘ線ファイバ、４２…一端、４３…先端部、４４…切換スイッチ、５０…制御器、８０…カーボンナノチューブ、Ｗ…被検体。
【図１】
2004357723.tif 000003
【図２】
2004357723.tif 000004
【図３】
2004357723.tif 000005
【図４】
2004357723.tif 000006
【図５】
2004357723.tif 000007
【図６】
2004357723.tif 000008
【図７】
2004357723.tif 000009
【図８】
2004357723.tif 000010